(57)【要約】【課題】テーパー金具に楔金具を叩音等の大きな音を発生させないで、かつ一定の強度を有して装着する楔金具の装着具及び装着方法を提供する。【解決手段】土木又は建築現場で使用される仮設柱１１ａの側部に設けられた断面コ字状のテーパー金具１１に管材１２の一端に設けられた楔金具１３を固定する装着具１０であって、使用にあっては楔金具１３の上位置に配置される固定金具１５と、固定金具１５の両側に回動可能に設けられ、下部にテーパー金具１１の下端に掛止する鉤部１６、１７が設けられた対となる掛止部材１８、１９と、固定金具１５に取付けられて、対となる鉤部１６、１７がテーパー金具１１に掛止した状態で、楔金具１３の上部に当接する締め金具２０を押し下げる締結手段２１とを備える。【選択図】図１
2014211052.tif 000002
【特許請求の範囲】
【請求項１】
土木又は建築現場で使用される仮設柱の側部に設けられた断面コ字状のテーパー金具に管材の一端に設けられた楔金具を固定する装着具であって、
使用にあっては前記楔金具の上位置に配置される固定金具と、該固定金具の両側に回動可能に設けられ、下部に前記テーパー金具の下端に掛止する鉤部が設けられた対となる掛止部材と、前記固定金具に取付けられて、前記対となる鉤部が前記テーパー金具に掛止した状態で、前記楔金具の上部に当接する締め金具を押し下げる締結手段とを備えることを特徴とする楔金具の装着具。
【請求項２】
請求項１記載の楔金具の装着具において、前記締結手段は前記固定金具に設けられた雌ねじと、該雌ねじに螺合する雄ねじとを有していることを特徴とする楔金具の装着具。
【請求項３】
請求項１又は２記載の楔金具の装着具において、前記固定金具には、前記対となる掛止部材の開き角度を決定する対となるストッパー部材が設けられていることを特徴とする楔金具の装着具。
【請求項４】
請求項３記載の楔金具の装着具において、前記ストッパー部材は前記固定金具と一体化していることを特徴とする楔金具の装着具。
【請求項５】
請求項１記載の楔金具の装着具において、前記締結手段は液圧シリンダからなることを特徴とする楔金具の装着具。
【請求項６】
土木又は建築現場で使用される仮設柱の側部に設けられた断面コ字状のテーパー金具に管材の一端に設けられた楔金具を固定する装着方法であって、
使用にあっては前記楔金具の上位置に配置される固定金具と、該固定金具の両側に回動可能に設けられ、下部に前記テーパー金具の下端に掛止する鉤部が設けられた対となる掛止部材と、前記楔金具の上部に当接する締め金具とを有する楔金具の装着具を用い、
前記固定金具に設けられている締結手段によって、前記テーパー金具の下端に前記対となる鉤部が掛止した状態で、前記締め金具を押し下げることを特徴とする楔金具の装着方法。
【請求項７】
請求項６記載の楔金具の装着方法において、前記締結手段は、前記固定金具に形成されている雌ねじと、該雌ねじに螺合する雄ねじとを有し、該雄ねじによって前記楔金具の上部に当接する前記締め金具を押圧することを特徴とする楔金具の装着方法。
【発明の詳細な説明】
【技術分野】
【０００１】
土木又は建築現場で使用されるパイプ材からなる仮設柱の側部（通常は周囲に２段）に設けられた断面コ字状のテーパー金具に、例えば、水平材となる管材の一端に設けられた楔金具を固定する楔金具の装着具及びその装着方法に関する。
【背景技術】
【０００２】
土木又は建築現場では高度位置での作業を行うために、仮設架台が設けられている。この仮設架台は、例えば、図６に示すように、パイプ材からなる支柱７０の側部に、上方に向けて断面積が徐々に広くなって、両側板７７、７８は平行となった断面コ字状のテーパー金具７１を複数取付け、このテーパー金具７１に管材７２の端部に設けられた楔金具７３を装着している（特許文献１、２参照）。
そして、この楔金具７３をテーパー金具７１に装着する場合、楔金具７３をテーパー金具７１にその楔部分７４を上から装入した後、作業員がハンマーで、楔金具７３を容易に抜けない程度にテーパー金具７１に叩き込んでいた。なお、テーパー金具７１は前述のように、両側にある側板７７、７８が平行となって、表板７９は支柱７０に対して上方に開くテーパー状となっている。
【先行技術文献】
【特許文献】
【０００３】
【特許文献１】特開２０１０−２７５７７０号公報
【特許文献２】特開２００６−１６８５６号公報
【発明の概要】
【発明が解決しようとする課題】
【０００４】
楔金具７３をテーパー金具７１に叩き込む道具として一般的に「セットハンマー」と呼ばれるハンマーを用いるが、セットハンマーの重量は１ｋｇ〜２ｋｇもあり、重いという理由で、釘等を打つ軽量のハンマーで代用している作業者も少なくない。そういった場合、十分な装着強度が得られず、弾み等で楔金具７３がテーパー金具７１から脱着する場合もあり非常に危険である。また、ハンマーを叩く作業員の力加減によって楔金具７３の装着強度が異なるという問題もある。
【０００５】
また、ハンマー等で楔金具７３をテーパー金具７１に叩き込むと、大きな叩音が発生し、夜間に作業ができないという問題があった。特に、仮設足場の組立を短期間に行う場合には、昼間に大勢の作業員が必要となり、昼間でも騒音が激しく発生するという問題があった。
【０００６】
本発明はかかる事情に鑑みてなされたもので、テーパー金具に楔金具を叩音等の大きな音を発生させないで装着し、楔金具とテーパー金具とを十分な強度で連結可能な楔金具の装着具及びその方法を提供することを目的とする。
【課題を解決するための手段】
【０００７】
前記目的に沿う第１の発明に係る楔金具の装着具は、土木又は建築現場で使用される仮設柱の側部に設けられた断面コ字状のテーパー金具に管材の一端に設けられた楔金具を固定する装着具であって、
使用にあっては前記楔金具の上位置に配置される固定金具と、該固定金具の両側に回動可能に設けられ、下部に前記テーパー金具の下端に掛止する鉤部が設けられた対となる掛止部材と、前記固定金具に取付けられて、前記対となる鉤部が前記テーパー金具に掛止した状態で、前記楔金具の上部に当接する締め金具を押し下げる締結手段とを備える。
【０００８】
第１の発明に係る楔金具の装着具において、前記締結手段は前記固定金具に設けられた雌ねじと、該雌ねじに螺合する雄ねじとを有しているのが好ましい。
【０００９】
第１の発明に係る楔金具の装着具において、前記固定金具には、前記対となる掛止部材の開き角度を決定する対となるストッパー部材が設けられているのが好ましい。
【００１０】
第１の発明に係る楔金具の装着具において、前記ストッパー部材は前記固定金具と一体化しているのが好ましい。
【００１１】
第１の発明に係る楔金具の装着具において、前記締結手段は液圧シリンダからなることもできる。
【００１２】
そして、第２の発明に係る楔金具の装着方法は、土木又は建築現場で使用される仮設柱の側部に設けられた断面コ字状のテーパー金具に管材の一端に設けられた楔金具を固定する装着方法であって、
使用にあっては前記楔金具の上位置に配置される固定金具と、該固定金具の両側に回動可能に設けられ、下部に前記テーパー金具の下端に掛止する鉤部が設けられた対となる掛止部材と、前記楔金具の上部に当接する締め金具とを有する楔金具の装着具を用い、
前記固定金具に設けられている締結手段によって、前記テーパー金具の下端に前記対となる鉤部が掛止した状態で、前記締め金具を押し下げる。
【００１３】
第２の発明に係る楔金具の装着方法において、前記締結手段は、前記固定金具に形成されている雌ねじと、該雌ねじに螺合する雄ねじとを有し、該雄ねじによって前記楔金具の上部に当接する前記締め金具を押圧することもできる。
【発明の効果】
【００１４】
第１の発明に係る楔金具の装着具及び第２の発明に係る楔金具の装着方法は、対となる掛止部材の鉤部をテーパー金具の下端に掛止した状態で、楔金具の上部に接する締め金具を締結手段で押圧するので、楔金具をハンマー等で叩くことなく、楔金具をテーパー金具に装着することができる。従って、騒音を発しないので、夜間であっても作業が行える。
【００１５】
特に、締結手段に、固定金具に設けられた雌ねじとこの雌ねじに螺合する雄ねじとを用いた場合は、機構が簡単で安価に製造できる。
また、雄ねじの締め付け長さを管理することによって、楔金具のテーパー金具の装着状態を確認できるほか、雄ねじを回す道具に、例えばトルクレンチ等を使用すると、一定の結合力で楔金具をテーパー金具に固定できる。
【図面の簡単な説明】
【００１６】
【図１】（Ａ）は本発明の一実施の形態に係る楔金具の装着具の正面図、（Ｂ）はテーパー金具に装着された楔金具の正面図である。
【図２】（Ａ）は同楔金具の装着具の側面図、（Ｂ）は変形例に係る雄ねじの側面図である。
【図３】（Ａ）〜（Ｄ）はそれぞれ同楔金具の装着具の分解図、正面図、側面図及び平面図である。
【図４】同楔金具の装着具の取付け状況を示す側面図である。
【図５】本発明の他の実施の形態に係る楔金具の装着具の正面図である。
【図６】従来例に係る楔金具の取付け状況を示す側面図である。
【発明を実施するための形態】
【００１７】
続いて、添付した図面を参照しながら、本発明を具体化した実施の形態について説明する。なお、図１（Ａ）においてＡ−Ａ’方向を左右方向、図２（Ａ）においてＢ−Ｂ’方向を前後方向として以下の説明を行う。
【００１８】
図１〜図４に示すように、本発明の一実施の形態に係る楔金具の装着具１０は、鉄又はステンレス等の金属材からなって、土木又は建築現場で使用される仮設柱１１ａの側部に設けられた断面コ字状のテーパー金具１１に管材１２の一端に設けられた楔金具１３を装着するのに使用される。
【００１９】
この楔金具の装着具１０は、使用にあって楔金具１３の上位置に配置される固定金具１５と、固定金具１５の両側に回動可能に吊り下げられ、下部にテーパー金具１１の下端縁に掛止する鉤部１６、１７が設けられた対となる掛止部材１８、１９と、固定金具１５に取付けられて、対となる鉤部１６、１７がテーパー金具１１に掛止した状態で、楔金具１３の上部に当接する締め金具２０を押し下げる締結手段２１とを備える。以下、これらについて詳しく説明する。
【００２０】
固定金具１５は、この実施の形態では、前後方向に隙間２３を有して配置される左右対称な平板材２４、２５と、平板材２４、２５の隙間２３に配置される雌ねじ材２６とを有し、ボルト２７、２８によって前後方向に配置された平板材２４、２５と雌ねじ材２６は連結されて一体となっている。雌ねじ材２６の中央には雌ねじ２９が上下方向を向いて形成され、頭付きのボルト（雄ねじの一例）３０が螺入している。
【００２１】
固定金具１５の両側にその上部が回動可能に取付けられている掛止部材１８、１９が左右方向に一対設けられている。この掛止部材１８、１９は平板材２４、２５の隙間２３より僅少の範囲で薄くなっていると共に、左右方向には隙間を有して配置され、上部をピン（例えば、ボルト）３１、３２によって固定金具１５の平板材２４、２５に回動可能に設けられている。
【００２２】
掛止部材１８、１９は、下部に直線部３３、３４を備え、掛止部材１８、１９がテーパー金具１１の平行状態に配置された側板部３５、３６に接するように、掛止部材１８、１９のピン３１、３２の位置が決定している。また、掛止部材１８、１９の下端の鉤部１６、１７の隙間は、掛止部材１８、１９が開いた状態で管材１２の直径より大きくなっている。
【００２３】
なお、掛止部材１８、１９の上部位置（固定部材１５の平板材２４、２５）には、掛止部材１８、１９が外側に開きすぎないように、掛止部材１８、１９の開き角度を決定する対となるストッパー部材３７、３８が設けられている。この実施の形態においては、ストッパー部材３７、３８は雄ねじからなる。
【００２４】
頭付きのボルト３０の下端には、楔金具１３の上部に載る締め金具２０がねじ（雄ねじ）４０によって、締め金具２０に対して回転可能に固定されている。このねじ４０は、正面視して二股状の締め金具２０に対してルーズ（即ち、ねじ挿通孔がある）となって、ボルト３０の下端にねじ込まれている。ボルト３０はねじ４０と共に自由に回転し、締め金具２０にトルクを伝えない構造となっている。
【００２５】
従って、雌ねじ材２６に螺合しているボルト３０は自由に回転して、締め金具２０を昇降し、下降する場合は、締め金具２０を楔金具１３の上部に当接して、楔金具１３をテーパー金具１１に嵌め込むようになっている。なお、ねじ４０の代わりに、頭付きのボルト３０の下側に回転可能に止まるものであれば、他の手段、例えば、割りピン、Ｅ形止め輪等であってもよい。以上のように、ボルト３０及び雌ねじ材２６（雌ねじ２９）を有して締結手段２１が構成されている。
【００２６】
この楔金具の装着具１０を使用する場合は、図４に示すように、楔金具１３をテーパー金具１１に装着した状態で、掛止部材１８、１９の間に管材１２を収め、図２（Ａ）に示すように、テーパー金具１１の側板部３５、３６の下端に鉤部１６、１７を配置する。この状態で、頭付きのボルト３０をレンチ等で回すと、ボルト３０が雌ねじ材２６にねじ込まれ、締め金具２０が下方に下がり、楔金具１３がテーパー金具１１に押し込まれる。これによって、楔金具１３のテーパー金具１１への装着は完了するが、作業時に騒音は発生しない。
【００２７】
次に、この発明の変形例について説明するが、図２（Ｂ）に示すように、雄ねじとして頭付きのボルト３０の代わりに六角孔付き止めねじ、ロック孔付きボルト等を用いてもよい。
また、締結手段にねじ機構を用いたが、油圧等の液圧シリンダを用いて、液圧によって締め金具を下降させることもできる。
【００２８】
更には、図５にこの発明の他の実施の形態に係る楔金具の装着具４４を示すが、図に示すように、前後の平板材と雌ねじ材を一体化して一つのハウジング４５とし、掛止部材１８、１９の広がりを防止するストッパー部材と一体化することもできる。
この実施の形態においては、締結手段の昇降機構として頭付きのボルト３０を使用しているが、他のねじ機構、以上に説明した油圧シリンダ等に置き換えることも当然できる。
本発明は前記した実施の形態に限定されるものではなく、本発明の要旨を変更しない範囲でその構成を変更することもできる。
【符号の説明】
【００２９】
１０：楔金具の装着具、１１：テーパー金具、１１ａ：仮設柱、１２：管材、１３：楔金具、１５：固定金具、１６、１７：鉤部、１８、１９：掛止部材、２０：締め金具、２１：締結手段、２３：隙間、２４、２５：平板材、２６：雌ねじ材、２７、２８：ボルト、２９：雌ねじ、３０：頭付きのボルト、３１、３２：ピン、３３、３４：直線部、３５、３６：側板部、３７、３８：ストッパー部材、４０：ねじ、４４：楔金具の装着具、４５：ハウジング
【図１】
2014211052.tif 000003
【図２】
2014211052.tif 000004
【図３】
2014211052.tif 000005
【図４】
2014211052.tif 000006
【図５】
2014211052.tif 000007
【図６】
2014211052.tif 000008